【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
金属屋根のためのサーマルブロックシステムであって、該サーマルブロックシステムは、
第一の端であって、少なくとも１つのスロットがその内部に配置されている第一の端と、
第二の端と、
該第一の端と第二の端との間の第一の脚と、
一続きのサーマルブロックにおける次のサーマルブロックを受けとるための、該第二の端におけるアバットメント表面および踊り場表面であって、該次のサーマルブロックの該第一の端は、該サーマルブロックおよび該次のサーマルブロックが連結されているときに、該アバットメント表面および該踊り場表面のうちの少なくとも１つと係合する、アバットメント表面および踊り場表面と、
該第一の端内に配置された少なくとも１つのスロットの中に挿入される少なくとも１つのクリップ脚を有するクリップであって、該クリップは、該一続きのサーマルブロックにおける該サーマルブロックと該次のサーマルブロックとを一緒に固定する、クリップと
を含む、サーマルブロックシステム。
【請求項２】
第二の脚が、前記踊り場表面の下に配置されている、請求項１に記載のサーマルブロックシステム。
【請求項３】
少なくとも１つの母屋の上に置かれた断熱材のブランケットと、
該母屋の上方、該断熱材のブランケットの上に固定された一続きのサーマルブロックであって、該一続きのサーマルブロックにおける各サーマルブロックは、
該サーマルブロックの底部表面から突出している複数の一体の支持脚であって、該支持脚の各々は、該断熱材のブランケットの第一の部分と係合し、かつ、該支持脚と該母屋との間で該断熱材のブランケットの該第一の部分を捕捉し、かつ、該支持脚と該母屋との間で該断熱材のブランケットの該第一の部分を第一の圧縮量だけ圧縮する、複数の一体の支持脚と、
該支持脚間で該サーマルブロックの該底部表面において画定されている少なくとも１つのギャップであって、該断熱材のブランケットの第二の部分は、該サーマルブロックの該底部表面と該母屋との間に配置されており、かつ、該サーマルブロックの該底部表面と該母屋との間で該第一の圧縮量よりも小さい第二の圧縮量だけ圧縮されている、少なくとも１つのギャップと
を含む、一続きのサーマルブロックと
を含む、システム。
【請求項４】
前記断熱材のブランケットは、断熱材の比較的より厚い片の上方にあり、該比較的より厚い片は、母屋の対向する組の間に生成されたポケットに存在する、請求項３に記載のシステム。
【請求項５】
前記断熱材のブランケットは、断熱材の比較的より薄い片の下方にあり、該断熱材の比較的より薄い片は、サーマルブロックの２つの対向する列間に位置している空間を満たしている、請求項３に記載のシステム。
【請求項６】
金属屋根に断熱材を提供する方法であって、該方法は、
少なくとも１つの母屋の上に断熱材のブランケットを置くことと、
該母屋の上方、該断熱材のブランケットの上に一続きのサーマルブロックを固定することであって、該一続きのサーマルブロックにおける各サーマルブロックは、該サーマルブロックの底部表面から突出している複数の一体の支持脚と、該支持脚間で該サーマルブロックの該底部表面において画定されている少なくとも１つのギャップとを含み、その結果、
該一続きのサーマルブロックが、該母屋の上方、該断熱材のブランケットの上に固定されているときに、該支持脚の各々は、該断熱材のブランケットの第一の部分と係合し、かつ、該支持脚と該母屋との間で該断熱材のブランケットの該第一の部分を捕捉し、かつ、該支持脚と該母屋との間で該断熱材のブランケットの該第一の部分を第一の圧縮量だけ圧縮し、
該サーマルブロックの該底部表面と該母屋との間に配置されている該断熱材のブランケットの第二の部分は、該サーマルブロックの該底部表面と該母屋との間で該第一の圧縮量よりも小さい第二の圧縮量だけ圧縮されている、ことと
を含む、方法。
【請求項７】
前記断熱材のブランケットは、断熱材の比較的より厚い片の上方にあり、該比較的より厚い片は、母屋の対向する組の間に生成されたポケットに存在する、請求項６に記載の方法。
【請求項８】
前記断熱材のブランケットは、断熱材の比較的より薄い片の下方にあり、該断熱材の比較的より薄い片は、サーマルブロックの２つの対向する列間に位置している空間を満たしている、請求項６に記載の方法。
【手続補正２】
【補正対象書類名】明細書
【補正対象項目名】０００６
【補正方法】変更
【補正の内容】
【０００６】
別の局面に従って、本開示は、金属屋根に断熱材を提供する方法を提供し、その方法は、少なくとも１つの母屋の上に断熱材のブランケットを置くことと、母屋の上方、断熱材のブランケット上に一続きのサーマルブロックを固定することであって、一続きのサーマルブロックにおける各サーマルブロックは、断熱材のブランケットを各母屋の頂部へ押しつけている脚を有する、ことと、脚間にギャップを形成することとを含み、そのギャップは、断熱材のブランケットが母屋と各サーマルブロックの下側との間で部分的にのみ圧縮されているように、脚間の領域を与える。
本発明は、例えば、以下を提供する。
（項目１）
金属屋根のためのサーマルブロックであって、該サーマルブロックは、
第一の端と、
第二の端と、
該第一の端と第二の端との間の第一の脚と、
第一の屋根クリップのクリップ脚を受けとるための、該第一の端におけるスロットと、
一続きのサーマルブロックにおける次のサーマルブロックを受けとるための、該第二の端におけるアバットメント表面および踊り場表面と
を含む、サーマルブロック。
（項目２）
第二の脚が、上記踊り場表面の下に形成されている、項目１に記載のサーマルブロック。
（項目３）
少なくとも１つの母屋の上に置かれた断熱材のブランケットと、
該母屋の上方、該断熱材のブランケットの上に固定された一続きのサーマルブロックであって、該一続きのサーマルブロックにおける各サーマルブロックは、該断熱材のブランケットを各母屋の頂部へ押しつけている脚を有する、一続きのサーマルブロックと、
該脚間に画定されたギャップと
を含み、該ギャップは、該脚間の領域を与え、該断熱材のブランケットは、該母屋と各サーマルブロックの下側との間で部分的にのみ圧縮されている、
システム。
（項目４）
上記断熱材のブランケットは、断熱材の比較的より厚い片の上方にあり、該比較的より厚い片は、母屋の対向する組の間に生成されたポケットに存在する、項目３に記載のシステム。
（項目５）
上記断熱材のブランケットは、断熱材の比較的より薄い片の下方にあり、該断熱材の比較的より薄い片は、サーマルブロックの２つの対向する列間に位置している空間を満たしている、項目３に記載のシステム。
（項目６）
金属屋根に断熱材を提供する方法であって、該方法は、
少なくとも１つの母屋の上に断熱材のブランケットを置くことと、
該母屋の上方、該断熱材のブランケットの上に一続きのサーマルブロックを固定することであって、該一続きのサーマルブロックにおける各サーマルブロックは、該断熱材のブランケットを各母屋の頂部へ押しつけている脚を有する、ことと、
該脚間にギャップを形成することと
を含み、該ギャップは、該断熱材のブランケットが該母屋と各サーマルブロックの下側との間で部分的にのみ圧縮されているように、該脚間の領域を与える、方法。
（項目７）
上記断熱材のブランケットは、断熱材の比較的より厚い片の上方にあり、該比較的より厚い片は、母屋の対向する組の間に生成されたポケットに存在する、項目６に記載の方法。
（項目８）
上記断熱材のブランケットは、断熱材の比較的より薄い片の下方にあり、該断熱材の比較的より薄い片は、サーマルブロックの２つの対向する列間に位置している空間を満たしている、項目６に記載の方法。